(57)【特許請求の範囲】
【請求項１】
重ねた用紙の背部を背糊で一体に接着してなる背糊接着帳票において、上記用紙背部の背糊塗布部位より該用紙の紙面内側に少し入った位置まで背糊を浸透させて、この位置からさらに先の紙面内側へ背糊が浸透することを防止する背糊浸透防止ラインを各用紙の紙面上に設けたことを特徴とする背糊接着帳票。
【請求項２】
背糊浸透防止ラインが、インキ、シリコーンまたはシリコーン含有樹脂等をストライプ状に塗布したものであることを特徴とする請求項１に記載の背糊接着帳票。
【請求項３】
背糊浸透防止ラインが、用紙のタテ目方向と直角に塗布されていることを特徴とする請求項１または２に記載の背糊接着帳票。
【発明の詳細な説明】
【０００１】
【発明の属する技術分野】
本発明は、単片複写帳票のように、重ねた用紙の背部を背糊で一体に接着してなる背糊接着帳票に関し、特に、その用紙を破損することなくスムーズに剥し取ることができるようにしたものである。
【０００２】
【従来の技術】
従来、たとえば単片複写帳票としては、複数の複写用紙等を層状に重ねて綴じたものがあり、このような単片複写帳票のように、複数の用紙を重ねて綴じる場合は、図２に示すように、重ねた用紙Ｐ１、Ｐ２…の背部ＰＢに感圧糊等を背糊２として塗布し、この背糊２を用紙Ｐ１、Ｐ２…間に浸透させかつ乾燥させることで、該用紙Ｐ１、Ｐ２…の背部ＰＢ側を背糊２により一体に接着している。
【０００３】
【発明が解決しようとする課題】
しかしながら、上記のように各用紙Ｐ１、Ｐ２…の背部ＰＢを背糊２で一体に接着する構造によると、図２中矢印イで示す部分周辺のように、背糊２が用紙背部ＰＢから用紙Ｐ１、Ｐ２間を通って紙面の内側奥深くにまで広範囲にわたり浸透してしまう場合がある。また、背糊２の浸透深さも均一にならない。このため、背糊２の乾燥後、接着された用紙Ｐ１、Ｐ２…を使用のため剥そうとすると、奥深く浸透した背糊２によって各用紙Ｐ１、Ｐ２…の紙面どうしが広く不均一に必要以上の接着力で接着されてしまっていることから、スムーズに用紙Ｐ１、Ｐ２…を剥すことができず、その剥す途中で用紙Ｐ１、Ｐ２…が破れる等、用紙の破損が生じる等の問題がある。
【０００４】
本発明は上述の事情に鑑みてなされたもので、その目的とするところは、用紙を破損することなくスムーズに剥し取ることのできる背糊接着帳票を提供することにある。
【０００５】
【課題を解決するための手段】
上記目的を達成するために、請求項１に記載の本発明は、重ねた用紙の背部を背糊で一体に接着してなる背糊接着帳票において、上記用紙背部の背糊塗布部位より該用紙の紙面内側に少し入った位置まで背糊を浸透させて、この位置からさらに先の紙面内側へ背糊が浸透することを防止する背糊浸透防止ラインを各用紙の紙面上に設けたことを特徴とするものである。
【０００６】
請求項２に記載の発明は、背糊浸透防止ラインが、インキ、シリコーンまたはシリコーン含有樹脂等をストライプ状に塗布したものであることを特徴とするものである。
また、請求項３に記載の発明は、背糊浸透防止ラインが、用紙のタテ目方向と直角に塗布されていることを特徴とするものである。
【０００７】
本発明では、背糊浸透防止ラインより先の奥深い紙面のところには背糊が浸透し難くなり、この種の奥深く浸透した背糊によって各用紙の紙面どうしが広く不均一に必要以上の接着力で接着されることがなく、背糊の接着幅をコントロールすることができ、背糊による接着力が均一なものとなるため、用紙の紙面内側への背糊の入り込みすぎによる不具合、たとえば、用紙剥離時の用紙破れ等がなくなる。
【０００８】
【発明の実施の形態】
以下、本発明に係る背糊接着帳票の一実施形態について図１を用いて詳細に説明する。
【０００９】
図１に示した背糊接着帳票１は、複数の用紙Ｐ１、Ｐ２…を層状に重ね、この重ねた用紙Ｐ１、Ｐ２…の背部ＰＢに背糊２を塗布することにより、該用紙背部ＰＢの背糊２で各用紙Ｐ１、Ｐ２…の背部ＰＢ側を一体に接着したものである。
【００１０】
各用紙Ｐ１、Ｐ２…の紙面上には、幅の均一なストライプ形状の背糊浸透防止ライン３がそれぞれ設けられており、この背糊浸透防止ライン３は、用紙背部ＰＢの背糊塗布部位２ａより用紙Ｐ１、Ｐ２…の紙面内側に少し入った位置に配置され、かつ、その位置からさらに先の紙面内側へ背糊２が浸透することを防止する手段として設けられている。
【００１１】
背糊浸透防止ライン３は、用紙Ｐ１、Ｐ２…の紙面上に、減感インキその他各種のインキ、シリコーン、シリコーン含有樹脂等を塗布したものである。本実施形態では、これらのうち少なくとも一つを用紙Ｐ１、Ｐ２…の紙面上に塗布して背糊浸透防止ライン３を形成している。
【００１２】
上記のように背糊浸透防止ライン３を用紙Ｐ１、Ｐ２…の内側にどの程度入らせるかは、帳票のデザイン、背糊２の接着力もしくは用紙Ｐ１、Ｐ２…の剥しやすさ等との関係から適宜決定できるが、本実施形態においては、用紙Ｐ１、Ｐ２…の外縁より内側に２〜５ｍｍ（Ｌ１）程度入った位置に、背糊浸透防止ライン３を設けるものとした。
【００１３】
背糊浸透防止ライン３のライン幅Ｌ２については、背糊２の浸透性能等との関係から適宜決定されるが、本実施形態では、２〜５ｍｍ程度の幅を採用するものとした。
【００１４】
上記のような背糊浸透防止ライン３は、各用紙Ｐ１、Ｐ２…の紙面のうち裏面側に設けることもできるが、本実施形態では各用紙Ｐ１、Ｐ２…の表面に背糊浸透防止ライン３を設けている。
【００１５】
上記のような構成の背糊接着帳票１を製造するときは、先ず複数の用紙Ｐ１、Ｐ２…を層状に重ね、この重ねた用紙Ｐ１、Ｐ２…の背部ＰＢに背糊２を塗布した後、その背糊２を浸透させる。この際、背糊２は、用紙背部ＰＢの背糊塗布部２ａから用紙Ｐ１、Ｐ２…間を通って紙面の内側奥深く浸透しようとするが、背糊２の浸透先には背糊浸透防止ライン３があり、この背糊浸透防止ライン３のところで背糊２の浸透が積極的に抑制される。
【００１６】
すなわち、背糊２は背糊浸透防止ライン３に向って浸透していくが、背糊浸透防止ライン３で堰き止められる。なお、背糊２の浸透を少なくとも背糊浸透防止ライン３上で止まるようにするためには、予め、背糊２の塗布量や浸透具合等との関係から、背糊浸透防止ライン３の太さや形状等を決定しておくのが好ましい。
【００１７】
本実施形態の背糊接着帳票１は、上記の通り、用紙背部ＰＢの背糊塗布部位２ａより用紙Ｐ１、Ｐ２…の紙面内側に少し入った位置に、背糊浸透防止ライン３を設け、この背糊浸透防止ライン３の位置からさらに先の紙面内側への背糊２の浸透を防止するように構成したものである。このため、背糊浸透防止ライン３によってそれより先の奥深い紙面内側のところには背糊２が浸透し難くなり、背糊２の接着幅をコントロールすることが可能となり、背糊２による接着力の均一化が図れること等から、用紙Ｐ１、Ｐ２…を破損することなくスムーズに剥し取ることができる。
【００１８】
また、糊の浸透による用紙の波打ちが用紙Ｐ１、Ｐ２…のタテ目方向（図１中矢印ロで示す方向）と直角に背糊２を塗布する場合に生じやすく、この場合に背糊浸透防止ライン３を設けることが用紙の波打ちを防止することに効果的である。
【００１９】
また、本実施形態の背糊接着帳票１にあっては、背糊浸透防止ライン３がインキ、シリコーン、またはシリコーン含有樹脂からなるため、仮に、その背糊浸透防止ライン３部に背糊２が浸透しても、インキ、シリコーン含有樹脂、またはシリコーンの剥離成分により用紙Ｐ１、Ｐ２…を容易に剥離することができる。
【００２０】
なお、上記実施形態では、背糊浸透防止ライン３を幅の均一なストライプ形状としたが、背糊浸透防止ライン３の形状については、そのようなストライプ形状に限定されることはなく、たとえば、背糊２の浸透しやすい位置を特に太くしたり、ストライプを複数設けるなど、背糊２の浸透状態をみて適宜変更することができる。
【００２１】
背糊接着帳票１の具体例としては単片複写帳票があり、本発明はこの種の単片複写帳票に適用することができるが、これに限定されることはなく、重ねた用紙の背部を背糊で一体に接着してなる背糊接着帳票のすべてに本発明を適用することができる。
【００２２】
【発明の効果】
本発明に係る背糊接着帳票にあっては、上記の如く、用紙背部の背糊塗布部位より該用紙の紙面内側に少し入った位置に、この位置からさらに先の用紙面内側へ背糊が浸透することを防止する背糊浸透防止ラインを設けたものである。このため、背糊浸透防止ラインによって背糊の接着幅をコントロールすることが可能となり、背糊による接着力の均一化が図れること等から、用紙を破損することなくスムーズに剥し取ることができるほか、背糊浸透防止ラインを設けることにより、糊の浸透による用紙の波打ち防止にも効果的である。
【００２３】
特に、請求項２に記載の発明によると、背糊浸透防止ラインがインキ、シリコーン、またはシリコーン含有樹脂からなるため、仮に、その背糊浸透防止ラインに背糊が浸透しても、インキ、シリコーン含有樹脂、またはシリコーンの剥離成分により用紙を容易に剥離することができる等の効果がある。
また、請求項３に記載の発明によると、背糊浸透防止ラインが用紙のタテ目方向と直角に塗布されているため、特に用紙のタテ目方向と直角に背糊を塗布した時に発生しやすい糊の浸透による用紙の波打ちを防止することに効果的である。
【図面の簡単な説明】
【図１】本発明に係る背糊接着帳票の一実施形態を示す斜視図。
【図２】従来の背糊接着帳票を示す斜視図。
【符号の説明】
１  背糊接着帳票
２  背糊
２ａ  背糊塗布部位
３  背糊浸透防止ライン
Ｐ１、Ｐ２、Ｐ４、Ｐ５  用紙
ＰＢ  用紙背部
【図１】
0004236224.tif 000002
【図２】
0004236224.tif 000003